(57)【要約】【課題】より良好な表示性能を有する表示装置を提供する。【解決手段】この表示装置は、第１の方向において隣り合う第１の画素および第２の画素を含む表示部と、第１の画素および第２の画素の各々に対応して配置され、第１の方向において隣り合う第１のフィルタおよび第２のフィルタを含むフィルタ層とを有する。第１のフィルタの屈折率は第２のフィルタの屈折率よりも低く、第１の方向における第１のフィルタの寸法は、少なくとも一部において、第１の方向における第２のフィルタの寸法よりも大きく、第１のフィルタと第２のフィルタとの境界は、少なくとも一部において、第２の画素が占める領域に位置する。【選択図】図１
2015197475.tif 000002
【特許請求の範囲】
【請求項１】
第１の方向において隣り合う第１の画素および第２の画素を含む表示部と、
前記第１の画素および前記第２の画素の各々に対応して配置され、前記第１の方向において隣り合う第１のフィルタおよび第２のフィルタを含むフィルタ層と
を有し、
前記第１のフィルタの屈折率は前記第２のフィルタの屈折率よりも低く、
前記第１の方向における前記第１のフィルタの寸法は、少なくとも一部において、前記第１の方向における前記第２のフィルタの寸法よりも大きく、
前記第１のフィルタと前記第２のフィルタとの境界は、少なくとも一部において、前記第２の画素が占める領域に位置する
表示装置。
【請求項２】
前記第１のフィルタと前記第２のフィルタとの境界に配置され、前記第１のフィルタの周縁部分と対応する領域を占める第１の遮光部分と前記第２のフィルタの周縁部分と対応する領域を占める第２の遮光部分とを含む遮光層をさらに有し、
前記第１の方向における前記第１の遮光部分の寸法は、少なくとも一部において、前記第１の方向における前記第２の遮光部分の寸法よりも大きい
請求項１記載の表示装置。
【請求項３】
前記表示部は、第２の方向において前記第１の画素と隣り合う第３の画素をさらに含み、
前記フィルタ層は、前記第２の方向において前記第１のフィルタと隣り合うように前記第３の画素に対応して配置された第３のフィルタをさらに含み、
前記第１のフィルタの屈折率は前記第３のフィルタの屈折率よりも低く、
前記第２の方向における前記第１のフィルタの寸法は、少なくとも一部において、前記第２の方向における前記第３のフィルタの寸法よりも大きく、
前記第１のフィルタと前記第３のフィルタとの境界は、少なくとも一部において、前記第３の画素が占める領域に位置する
請求項１記載の表示装置。
【請求項４】
前記表示部は、第１の方向において前記第３の画素と隣り合うと共に第２の方向において前記第２の画素と隣り合う第４の画素をさらに含み、
前記フィルタ層は、前記第１の方向において前記第３のフィルタと隣り合うと共に前記第２の方向において前記第２のフィルタと隣り合うように、前記第４の画素に対応して配置された第４のフィルタをさらに含み、
前記第４のフィルタの屈折率は前記第２のフィルタの屈折率および前記第３のフィルタの屈折率の双方よりも高く、
前記第１の方向における前記第４のフィルタの寸法は、少なくとも一部において、前記第１の方向における前記第３のフィルタの寸法よりも小さく、
前記第３のフィルタと前記第４のフィルタとの境界は、少なくとも一部において、前記第４の画素が占める領域に位置し、
前記第２の方向における前記第４のフィルタの寸法は、少なくとも一部において、前記第２の方向における前記第２のフィルタの寸法よりも小さく、
前記第２のフィルタと前記第４のフィルタとの境界は、少なくとも一部において、前記第４の画素が占める領域に位置する
請求項３記載の表示装置。
【請求項５】
前記第１のフィルタと前記第３のフィルタとの境界に配置され、前記第１のフィルタの周縁部分と対応する領域を占める第１の遮光部分と前記第３のフィルタの周縁部分と対応する領域を占める第３の遮光部分とを含む遮光層をさらに有し、
前記第２の方向における前記第１の遮光部分の寸法は、少なくとも一部において、前記第２の方向における前記第３の遮光部分の寸法よりも大きい
請求項３記載の表示装置。
【請求項６】
前記第１のフィルタと前記第２のフィルタとの境界、前記第１のフィルタと前記第３のフィルタとの境界、前記第２のフィルタと前記第４のフィルタとの境界、および前記第３のフィルタと前記第４のフィルタとの境界にそれぞれ配置され、前記第１のフィルタの周縁部分と対応する領域を占める第１の遮光部分、前記第２のフィルタの周縁部分と対応する領域を占める第２の遮光部分、前記第３のフィルタの周縁部分と対応する領域を占める第３の遮光部分、および前記第４のフィルタの周縁部分と対応する領域を占める第４の遮光部分を含む遮光層をさらに有し、
前記第１の方向における前記第１の遮光部分の寸法は、少なくとも一部において、前記第１の方向における前記第２の遮光部分の寸法よりも大きく、
前記第１の方向における前記第３の遮光部分の寸法は、少なくとも一部において、前記第１の方向における前記第４の遮光部分の寸法よりも大きく、
前記第２の方向における前記第１の遮光部分の寸法は、少なくとも一部において、前記第２の方向における前記第３の遮光部分の寸法よりも大きく、
前記第２の方向における前記第２の遮光部分の寸法は、少なくとも一部において、前記第２の方向における前記第４の遮光部分の寸法よりも大きい
請求項４記載の表示装置。
【請求項７】
前記遮光層は、前記フィルタ層と前記表示部との間、または前記フィルタ層の内部に設けられている
請求項２記載の表示装置。
【請求項８】
前記フィルタ層と前記遮光層との間に樹脂層をさらに有し、
前記フィルタ層の屈折率は、前記樹脂層の屈折率よりも高い
請求項２記載の表示装置。
【請求項９】
下記の数１に表した条件式（１）を満たす
請求項１記載の表示装置。
但し、ｎ1は第２の画素からの光が第２のフィルタへ入射する直前に通過する媒質の屈折率であり、ｎHは第２のフィルタの屈折率であり、θ1は第２の画素から第２のフィルタへ入射する光の最大入射角であり、ｎLは第１のフィルタの屈折率である。
【数１】
2015197475.tif 000016
【請求項１０】
下記の数２および数３にそれぞれ示した条件式（２）および条件式（３）を満たす
請求項２記載の表示装置。
但し、Ｗ1は遮光層の幅であり、ＷLは第１のフィルタの幅であり、ＷHは第２のフィルタの幅であり、ｔはフィルタ層の厚さであり、θLは第１の画素から第１のフィルタに入射した光の屈折角である。
【数２】
2015197475.tif 000017
【数３】
2015197475.tif 000018
【請求項１１】
表示装置を備えた電子機器であって、
前記表示装置は、
第１の方向において隣り合う第１の画素および第２の画素を含む表示部と、
前記第１の画素および前記第２の画素の各々に対応して配置され、前記第１の方向において隣り合う第１のフィルタおよび第２のフィルタを含むフィルタ層と
を有し、
前記第１のフィルタの屈折率は前記第２のフィルタの屈折率よりも低く、
前記第１の方向における前記第１のフィルタの寸法は、少なくとも一部において、前記第１の方向における前記第２のフィルタの寸法よりも大きく、
前記第１のフィルタと前記第２のフィルタとの境界は、少なくとも一部において、前記第２の画素が占める領域に位置する
電子機器。
【請求項１２】
前記表示装置は、
前記第１のフィルタと前記第２のフィルタとの境界に配置され、前記第１のフィルタの周縁部分を覆う第１の遮蔽部分と前記第２のフィルタの周縁部分を覆う第２の遮蔽部分とを含む遮光層をさらに有し、
前記第１の方向における前記第１の遮蔽部分の寸法は、少なくとも一部において、前記第１の方向における前記第２の遮蔽部分の寸法よりも大きい
請求項１１記載の電子機器。
【発明の詳細な説明】
【技術分野】
【０００１】
本開示は、カラーフィルタを有する表示装置、およびこの表示装置を備えた電子機器に関する。
【背景技術】
【０００２】
有機ＥＬ素子などの自発光素子は、第１電極と第２電極との間に発光層を有しており、その発光層に対し直流電圧が印加されると発光層において正孔−電子再結合が生じ、発光するものである。このような有機ＥＬ素子を複数有する表示装置としては、全ての有機ＥＬ素子から白色光を発生させ、画素ごとに所定の波長光を選択的に透過するカラーフィルタにその白色光を透過させることで各色光を表示するようにしたものが知られている（例えば特許文献１参照）。
【先行技術文献】
【特許文献】
【０００３】
【特許文献１】特開２０１３−３７８０８号明細書
【発明の概要】
【発明が解決しようとする課題】
【０００４】
しかしながら、このようなカラーフィルタを用いて色分離する構造においては、有機ＥＬ素子からカラーフィルタに対し斜め方向に白色光が入射することで、隣り合う１の画素と他の１の画素との境界近傍において色にじみが生じる場合がある。そこで、カラーフィルタの射出側にブラックマトリクスと呼ばれる遮光部を設けることも考えられるが、その場合には画面全体の輝度が低下したり、視野角特性が劣化したりするおそれがある。
【０００５】
本開示はかかる問題点に鑑みてなされたもので、その目的は、視野角特性を損なうことなく、混色や色滲みが低減された良好な表示性能を有する表示装置、およびこの表示装置を備えた電子機器を提供することにある。
【課題を解決するための手段】
【０００６】
本開示の一実施形態としての表示装置は、第１の方向において隣り合う第１の画素および第２の画素を含む表示部と、第１の画素および第２の画素の各々に対応して配置され、第１の方向において隣り合う第１のフィルタおよび第２のフィルタを含むフィルタ層と  を有する。ここで、第１のフィルタの屈折率は第２のフィルタの屈折率よりも低く、第１の方向における第１のフィルタの寸法は、少なくとも一部において、第１の方向における第２のフィルタの寸法よりも大きく、第１のフィルタと第２のフィルタとの境界は、少なくとも一部において、第２の画素と対応する領域に位置する。
【０００７】
本開示の一実施形態としての電子機器は、上記表示装置を備えたものである。
【０００８】
本開示の一実施形態としての表示装置では、第１の画素に対応する第１のフィルタの屈折率が第２の画素に対応する第２のフィルタの屈折率よりも低い。また、第１の方向において第１のフィルタの寸法が少なくとも一部において第２のフィルタの寸法よりも大きく、第１のフィルタと第２のフィルタとの境界が少なくとも一部において第２の画素と対応する領域に位置するようにした。このため、第２の画素から第２のフィルタへ入射した光が、第１のフィルタへ進入することが生じにくくなる。
【発明の効果】
【０００９】
本開示の一実施形態としての表示装置および電子機器によれば、視野角特性の低下を招くことなく第１の画素と第２の画素との境界近傍での混色や色滲みが抑制されるので、良好な表示性能を発揮することができる。なお、本開示の効果はこれに限定されるものではなく、以下の記載のいずれの効果であってもよい。
【図面の簡単な説明】
【００１０】
【図１】本開示の第１の実施の形態に係る表示装置の要部構成を表す断面図である。
【図２】図１に示した表示装置の全体構成を表す図である。
【図３】図２に示した画素駆動回路の一例を表す図である。
【図４】図１に示した表示装置の要部構成を表す平面図である。
【図５】図１に示した表示装置における作用を説明するための説明図である。
【図６Ａ】図１に示した表示装置において全反射となる条件を満たす屈折率の関係を表す特性図である。
【図６Ｂ】図１に示した表示装置において全反射となる条件を満たす屈折率の関係を表す他の特性図である。
【図７】本開示の第２の実施の形態に係る表示装置の要部構成を表す断面図である。
【図８Ａ】図７に示した表示装置の要部構成を表す平面図である。
【図８Ｂ】図８Ａの一部をさらに拡大して示した表示装置の要部構成を表す平面図である。
【図９】図７に示した表示装置における作用を説明するための説明図である。
【図１０Ａ】図７に示した表示装置において、比較的低い屈折率のカラーフィルタから比較的高い屈折率のカラーフィルタへの漏れ光が生じない条件に関する第１の特性図である。
【図１０Ｂ】図７に示した表示装置において、比較的低い屈折率のカラーフィルタから比較的高い屈折率のカラーフィルタへの漏れ光が生じない条件に関する第２の特性図である。
【図１１】本開示の第３の実施の形態に係る表示装置の要部構成を表す断面図である。
【図１２】第１から第３の実施の形態の表示装置を含むモジュールの概略構成を表す平面図である。
【図１３】第１から第３の実施の形態の表示装置の適用例としてのスマートフォンの外観を表す斜視図である。
【図１４】本開示の第１の変形例としての表示装置の要部構成を表す断面図である。
【図１５Ａ】本開示の第２の変形例としての表示装置の一部構成を表す断面図である。
【図１５Ｂ】本開示の第３の変形例としての表示装置の一部構成を表す断面図である。
【図１５Ｃ】本開示の第４の変形例としての表示装置の一部構成を表す断面図である。
【図１６Ａ】本開示の第５の変形例としての表示装置の一部構成を表す断面図である。
【図１６Ｂ】本開示の第６の変形例としての表示装置の一部構成を表す断面図である。
【図１６Ｃ】本開示の第７の変形例としての表示装置の一部構成を表す断面図である。
【図１７】比較例としての表示装置における作用を説明するための説明図である。
【発明を実施するための形態】
【００１１】
以下、本開示の実施の形態について図面を参照して詳細に説明する。なお、説明は以下の順序で行う。
１．第１の実施の形態（基本構成の表示装置：トップエミッション方式）
２．第２の実施の形態（遮光層をさらに有する表示装置：トップエミッション方式）
３．第３の実施の形態（表示装置：ボトムエミッション方式）
４．表示装置の適用例（モジュールおよびスマートフォン）
５．変形例
（１）遮光層をカラーフィルタの内部に配置した例
（２）カラーフィルタの平面形状の変形例
【００１２】
＜１．第１の実施の形態＞
［表示装置１の構成］
図１〜図４を参照して、本開示における第１の実施の形態としての有機ＥＬ表示装置（表示装置１）について説明する。図１は、表示装置１の要部断面構成を表したものである。図２は、表示装置１の全体構成を表すものである。図３は、表示装置１に含まれる画素駆動回路１５０（後出）の一構成例を表すものである。図４は、表示装置１の要部構成を表す平面図である。なお、図１は図４に示したＩ−Ｉ線に沿った矢視方向の断面に相当する。表示装置１は、素子パネル１０と封止パネル２０とを有し、封止パネル２０を透過した光を取り出す、いわゆるトップエミッション型の表示装置であり、複数の有機発光素子３０を含んでいる。有機発光素子３０には、例えば赤色光、緑色光、青色光および白色光を各々射出する有機発光素子３０Ｒ，３０Ｇ，３０Ｂ，３０Ｗが含まれている。
【００１３】
図１に示したように、素子パネル１０は、素子基板１１上に有機発光素子３０Ｒ，３０Ｇ，３０Ｂ，３０Ｗの下部構造３１が設けられたものである。有機発光素子３０Ｒ，３０Ｇ，３０Ｂ，３０Ｗの各下部構造３１は、第１〜第４の画素ＰＸ１〜ＰＸ４（図４）を構成するものであり、例えば第１電極層１２、有機層１４、第２電極層１５および保護膜１６からなる積層構造を有する。各下部構造３１は、いずれも封止パネル２０との間に設けられた接着層１７に覆われている。封止パネル２０は、素子基板１１と対向する封止基板２１を有しており、その封止基板２１の素子基板１１との対向面に、有機発光素子３０Ｒ，３０Ｇ，３０Ｂ，３０Ｗの上部構造３２としてカラーフィルタ（ＣＦ）層１９とオーバーコート層１８とが順に設けられたものである。ここで、有機発光素子３０Ｒ，３０Ｇ，３０Ｂ，３０Ｗの各下部構造３１は、例えば共通の有機層１４、第２電極層１５および保護膜１６を有し、全て白色光を発するものである。また、ＣＦ層１９は、有機発光素子３０Ｒ，３０Ｇ，３０Ｂ，３０Ｗの各下部構造３１からの白色光を赤色光、緑色光、青色光および白色光に色分離するものである。なお、図１では、有機発光素子３０Ｂ，３０Ｗのみが示されている。
【００１４】
図２に示したように、表示装置１は、中央部に有機発光素子３０Ｒ，３０Ｇ，３０Ｂ，３０Ｗがマトリクス状に二次元配置された表示領域１１０を有している。表示領域１１０の周辺には、例えば映像表示用のドライバである信号線駆動回路１２０、走査線駆動回路１３０および電源供給線駆動回路１４０が設けられている。
【００１５】
表示領域１１０には、複数の有機発光素子３０Ｒ，３０Ｇ，３０Ｂ，３０Ｗと共に、それらを駆動するための画素駆動回路１５０が形成されている。画素駆動回路１５０において、列方向（Ｙ方向）には複数の信号線１２０Ａ（１２０Ａ１，１２０Ａ２，・・・，１２０Ａｍ，・・・）が配置され、行方向（Ｘ方向）には複数の走査線１３０Ａ（１３０Ａ１，・・・，１３０Ａｎ，・・・）および複数の電源供給線１４０Ａ（１４０Ａ１，・・・，１４０Ａｎ，・・・）が配置されている。有機発光素子３０Ｒ，３０Ｇ，３０Ｂ，３０Ｗは、信号線１２０Ａと走査線１３０Ａとの交差点にそれぞれ設けられている。信号線１２０Ａはその両端が信号線駆動回路１２０に接続され、走査線１３０Ａはその両端が走査線駆動回路１３０に接続され、電源供給線１４０Ａはその両端が電源供給線駆動回路１４０に接続されている。
【００１６】
信号線駆動回路１２０は、信号供給源（図示せず）から供給される輝度情報に応じた映像信号の信号電圧を、信号線１２０Ａを介して選択された有機発光素子３０Ｒ，３０Ｇ，３０Ｂ，３０Ｗに供給する。走査線駆動回路１３０は、入力されるクロックパルスに同期してスタートパルスを順にシフト（転送）するシフトレジスタなどを含む。走査線駆動回路１３０は、各有機発光素子３０Ｒ，３０Ｇ，３０Ｂ，３０Ｗへの映像信号の書き込みに際し、行単位でそれらを走査し各走査線１３０Ａに走査信号を順次供給する。信号線１２０Ａには信号線駆動回路１２０からの信号電圧が、走査線１３０Ａには走査線駆動回路１３０からの走査信号がそれぞれ供給される。
【００１７】
電源供給線駆動回路１４０は、入力されるクロックパルスに同期してスタートパルスを順にシフト（転送）するシフトレジスタなどを含む。電源供給線駆動回路１４０は、走査線駆動回路１３０による行単位の走査と同期して、各電源供給線１４０Ａに対し、各々の両端から、互いに異なる第１電位および第２電位のいずれかを適宜供給する。これにより、後述するトランジスタＴｒ１の導通状態または非導通状態の選択が行われる。
【００１８】
図３に示したように、画素駆動回路１５０は、トランジスタＴｒ１およびトランジスタＴｒ２と、キャパシタ（保持容量）Ｃｓと、有機発光素子３０Ｒ，３０Ｇ，３０Ｂ，３０Ｗとを有するアクティブ型の駆動回路である。有機発光素子３０Ｒ，３０Ｇ，３０Ｂ，３０Ｗは、電源供給線１４０Ａおよび共通電源供給線（ＧＮＤ）の間においてトランジスタＴｒ１と直列に接続されている。トランジスタＴｒ１およびトランジスタＴｒ２は、逆スタガ構造（いわゆるボトムゲート型）であってもスタガ構造（トップゲート型）であってもよい。
【００１９】
トランジスタＴｒ２は、例えばドレイン電極が信号線１２０Ａと接続されており、信号線駆動回路１２０からの映像信号が供給されるようになっている。また、トランジスタＴｒ２のゲート電極は走査線１３０Ａと接続されており、走査線駆動回路１３０からの走査信号が供給されるようになっている。さらに、トランジスタＴｒ２のソース電極は、駆動トランジスタＴｒ１のゲート電極と接続されている。
【００２０】
トランジスタＴｒ１は、例えばドレイン電極が電源供給線１４０Ａと接続されており、電源供給線駆動回路１４０による第１電位または第２電位のいずれかに設定される。トランジスタＴｒ１のソース電極は、有機発光素子３０Ｒ，３０Ｇ，３０Ｂ，３０Ｗと接続されている。
【００２１】
保持容量Ｃｓは、トランジスタＴｒ１のゲート電極（トランジスタＴｒ２のソース電極）と、トランジスタＴｒ１のソース電極との間に形成されるものである。
【００２２】
[表示装置１の要部構成]
次に、再び図１を参照して、素子パネル１０および封止パネル２０の詳細な構成について説明する。
【００２３】
素子基板１１は、例えば、水分（水蒸気）および酸素の透過を遮断可能なガラスまたはプラスチック材料などにより形成されている。素子基板１１は、その一主面に有機発光素子１０Ｒ，１０Ｇ，１０Ｂが配列形成される支持体である。素子基板１１の構成材料としては、例えば高歪点ガラス、ソーダガラス（Ｎａ2Ｏ・ＣａＯ・ＳｉＯ2）、硼珪酸ガラス（Ｎａ2Ｏ・Ｂ2Ｏ3・ＳｉＯ2）、フォルステライト（２ＭｇＯ・ＳｉＯ2）および鉛ガラス（Ｎａ2Ｏ・ＰｂＯ・ＳｉＯ2）等のガラス基板、石英基板あるいはシリコン基板が挙げられる。このようなガラス基板、石英基板およびシリコン基板の表面に絶縁膜を設けて素子基板１１を構成してもよい。素子基板１１には、金属箔もしくは樹脂製のフィルムやシートなどを用いることも可能である。樹脂の材質としては、例えば、ポリメチルメタクリレート（ポリメタクリル酸メチル，ＰＭＭＡ）、ポリビニルアルコール（ＰＶＡ）、ポリビニルフェノール（ＰＶＰ）、ポリエーテルスルホン（ＰＥＳ）、ポリイミド、ポリカーボネート、ポリエチレンテレフタレート（ＰＥＴ）およびポリエチレンナフタレート（ＰＥＮ）などの有機ポリマーが挙げられる。なお、トップエミッション型では封止基板２１から光が取り出されるため、素子基板１１は、透過性材料または非透過性材料のいずれにより形成されていてもよい。封止基板２１には素子基板１１と同じ材料を用いるようにしてもよく、あるいは、異なる材料を用いるようにしてもよい。また、可撓性材料により素子基板１１を構成してもよい。
【００２４】
有機発光素子３０Ｒ，３０Ｇ，３０Ｂ，３０Ｗは、素子基板１１の上に、第１電極層１２、発光層を含む有機層１４、第２電極層１５、保護膜１６、封止層でもある接着層１７、オーバーコート層１８およびＣＦ層１９が順に積層されてなるものである。隣り合う有機発光素子３０Ｒ，３０Ｇ，３０Ｂ，３０Ｗの間には絶縁膜１３が配置されている。有機発光素子３０Ｒ，３０Ｇ，３０Ｂ，３０Ｗの配列は特に限定されず、図２および後出の図４に示したレクタングル配列のほか、例えばストライプ配列やダイアゴナル配列などが採用可能である。
【００２５】
第１電極層１２は有機発光素子３０Ｒ，３０Ｇ，３０Ｂ，３０Ｗの各々に応じて設けられているため、複数の第１電極層１２が素子基板１１上に互いに離間して配置されている。第１電極層１２は例えばアノード電極としての機能および反射層としての機能を兼ね備えたものであり、反射率が高く、かつ、正孔注入性も高い材料により構成されていることが望ましい。このような第１電極層１２としては、例えば、クロム（Ｃｒ），金（Ａｕ），白金（Ｐｔ），ニッケル（Ｎｉ），銅（Ｃｕ），モリブデン（Ｍｏ），タングステン（Ｗ），チタン（Ｔｉ），タンタル（Ｔａ），アルミニウム（Ａｌ），鉄（Ｆｅ）あるいは銀（Ａｇ）などの金属元素の単体または合金が挙げられる。第１電極層１２は、このような金属膜を複数積層したものであってもよい。銀に０．３重量％〜１重量％のパラジウム（Ｐｄ）と０．３重量％〜１重量％の銅とを含有させたＡｇ―Ｐｄ―Ｃｕ合金あるいはＡｌ―ネオジム（Ｎｄ）合金を第１電極層１２に用いるようにしてもよい。第１電極層１２には仕事関数の高い材料を用いることが好ましいが、アルミニウムおよびアルミニウム合金等の仕事関数の小さい金属であっても、適切な有機層１４（特に、後述の正孔注入層）を選択することにより、第１電極層１２として用いることが可能となる。
【００２６】
第１電極層１２の表面（第２電極層１５との対向面）から側面は、絶縁膜１３で覆われており、この絶縁膜１３には有機発光素子３０Ｒ，３０Ｇ，３０Ｂ，３０Ｗの発光領域を規定するための開口が設けられている。絶縁膜１３は、発光領域を正確に所望の形状に制御すると共に、第１電極層１２と第２電極層１５との間の絶縁性を確保する役割を担っている。絶縁膜１３には例えば、ポリイミド等の有機材料または酸化シリコン（ＳｉＯ2），窒化シリコン（ＳｉＮｘ）および酸窒化シリコン（ＳｉＯＮ）等の無機材料を用いることができる。
【００２７】
有機層１４は、例えば、全ての有機発光素子３０Ｒ，３０Ｇ，３０Ｂ，３０Ｗに共通して設けられ、第１電極層１２の側から、正孔注入層，正孔輸送層，発光層，電子輸送層および電子注入層（いずれも図示せず）をこの順に有している。正孔輸送層，発光層および電子輸送層により有機層１４を構成するようにしてもよく、このとき、発光層が電子輸送層を兼ねるようにしてもよい。このような一連の積層構造（いわゆるタンデムユニット）が接続層を介して複数重なることで有機層１４が構成されてもよい。例えば、赤色、緑色および青色の色毎にタンデムユニットを有し、これらを積層して有機層１４を構成するようにしてもよい。
【００２８】
正孔注入層は、正孔注入効率を高めるためのものであると共に、リークを防止するためのバッファ層である。正孔注入層は、例えば、化１または化２に示したヘキサアザトリフェニレン誘導体により構成されている。
【００２９】
【化１】
2015197475.tif 000003
（化１において、Ｒ１〜Ｒ６それぞれ独立に、水素、ハロゲン、ヒドロキシル基、アミノ基、アルールアミノ基、炭素数２０以下の置換あるいは無置換のカルボニル基、炭素数２０以下の置換あるいは無置換のカルボニルエステル基、炭素数２０以下の置換あるいは無置換のアルキル基、炭素数２０以下の置換あるいは無置換のアルケニル基、炭素数２０以下の置換あるいは無置換のアルコキシル基、炭素数３０以下の置換あるいは無置換のアリール基、炭素数３０以下の置換あるいは無置換の複素環基、ニトリル基、シアノ基、ニトロ基、またはシリル基から選ばれる置換基であり、隣接するＲｍ（ｍ＝１〜６）は環状構造を通じて互いに結合してもよい。また、Ｘ１〜Ｘ６はそれぞれ独立に炭素もしくは窒素原子である。）
【００３０】
【化２】
2015197475.tif 000004
【００３１】
正孔輸送層は、発光層への正孔輸送効率を高めるためのものである。正孔輸送層は、例えば、厚みが４０ｎｍ程度であり、４，４′，４″−トリス（３−メチルフェニルフェニルアミノ）トリフェニルアミン（ｍ−ＭＴＤＡＴＡ）またはα−ナフチルフェニルジアミン（αＮＰＤ）により構成されている。
【００３２】
発光層は例えば白色発光用の発光層であり、第１電極層１２と第２電極層１５との間に例えば赤色発光層、緑色発光層および青色発光層（いずれも図示せず）の積層体を有している。赤色発光層，緑色発光層および青色発光層は、電界をかけることにより、第１電極層１２から正孔注入層および正孔輸送層を介して注入された正孔の一部と、第２電極層１５から電子注入層および電子輸送層を介して注入された電子の一部とが再結合して、それぞれ赤色，緑色および青色の光を発生させるものである。
【００３３】
赤色発光層は、例えば、赤色発光材料，正孔輸送性材料，電子輸送性材料および両電荷輸送性材料のうち少なくとも１種を含んでいる。赤色発光材料は、蛍光性のものでも燐光性のものでもよい。赤色発光層は、例えば、厚みが５ｎｍ程度であり、４，４−ビス（２，２−ジフェニルビニン）ビフェニル（ＤＰＶＢｉ）に２，６−ビス［（４’−メトキシジフェニルアミノ）スチリル］−１，５−ジシアノナフタレン（ＢＳＮ）を３０重量％混合したものにより構成されている。
【００３４】
緑色発光層は、例えば、緑色発光材料，正孔輸送性材料，電子輸送性材料および両電荷輸送性材料のうち少なくとも１種を含んでいる。緑色発光材料は、蛍光性のものでも燐光性のものでもよい。緑色発光層は、例えば、厚みが１０ｎｍ程度であり、ＤＰＶＢｉにクマリン６を５重量％混合したものにより構成されている。
【００３５】
青色発光層は、例えば、青色発光材料，正孔輸送性材料，電子輸送性材料および両電荷輸送性材料のうち少なくとも１種を含んでいる。青色発光材料は、蛍光性のものでも燐光性のものでもよい。青色発光層は、例えば、厚みが３０ｎｍ程度であり、ＤＰＶＢｉに４，４’−ビス［２−｛４−（Ｎ，Ｎ−ジフェニルアミノ）フェニル｝ビニル］ビフェニル（ＤＰＡＶＢｉ）を２．５重量％混合したものにより構成されている。
【００３６】
電子輸送層は、発光層への電子輸送効率を高めるためのものであり、例えば厚みが２０ｎｍ程度の８−ヒドロキシキノリンアルミニウム（Ａｌｑ３）により構成されている。電子注入層は、発光層への電子注入効率を高めるためのものであり、例えば厚みが０．３ｎｍ程度のＬｉＦあるいはＬｉ2Ｏ等により構成されている。
【００３７】
第２電極層１５は、有機層１４を間にして第１電極層１２と対をなし、例えば電子注入層の上に全ての有機ＥＬ素子３０Ｒ，３０Ｇ，３０Ｂ，３０Ｗに共通して設けられている。第２電極層１５は例えばカソード電極としての機能および光透過層としての機能を兼ね備えたものであり、導電性が高く、かつ、光透過率も高い材料により構成されていることが望ましい。したがって、第２電極層１５は、例えば、アルミニウム（Ａｌ），マグネシウム（Ｍｇ），銀（Ａｇ），カルシウム（Ｃａ）またはナトリウム（Ｎａ）の合金により構成されている。中でも、マグネシウムと銀との合金（Ｍｇ−Ａｇ合金）は、薄膜での導電性と吸収の小ささとを兼ね備えているので好ましい。また、第２電極層１５の材料としては、アルミニウム（Ａｌ）とリチウム（Ｌｉ）との合金（Ａｌ−Ｌｉ合金）を用いるようにしてもよく、インジウム錫酸化物（ＩＴＯ），酸化亜鉛（ＺｎＯ），アルミナドープ酸化亜鉛（ＡＺＯ），ガリウムドープ酸化亜鉛（ＧＺＯ），インジウム亜鉛酸化物（ＩＺＯ），インジウムチタン酸化物（ＩＴｉＯ）またはインジウムタングステン酸化物（ＩＷＯ）等を用いてもよい。第２電極層１５は、有機層１４への水分の浸入を防ぐ機能も有している。
【００３８】
接着層１７は、第２電極層１５を覆うように素子パネル１０の全面を覆い、素子パネル１０と封止パネル２０との間を封止している。接着層１７は、外部から表示領域１１０への水分浸入を防ぐと共に、素子パネル１０と封止パネル２０との間の距離を規定するように機能する。接着層１７は、例えば熱硬化型接着剤または紫外線硬化型接着剤などの透明樹脂からなる。そのような接着剤としては、例えば、アクリル系接着剤、エポキシ系接着剤、ウレタン系接着剤、シリコーン系接着剤またはシアノアクリレート系接着剤などが挙げられる。
【００３９】
オーバーコート層１８は、ＣＦ層１９の表面の平坦性を高め、保護するためのコーティング剤であり、例えば樹脂等の有機材料やＳｉＯ，ＳｉＮあるいはＩＴＯなどの無機材料により構成されている。
【００４０】
ＣＦ層１９は、例えば、第１〜第４のフィルタＣＦ１〜ＣＦ４を含み、これらが有機発光素子３０Ｒ，３０Ｇ，３０Ｂ，３０Ｗのパターン毎に配色されてレクタングル配列されている。具体的には、例えば図４に示したように、第１のフィルタＣＦ１が青色（Ｂ）フィルタであり、第２のフィルタＣＦ２が白色（Ｗ）フィルタであり、第３のフィルタＣＦ３が緑色（Ｇ）フィルタであり、第４のフィルタＣＦ４が赤色（Ｒ）フィルタである。有機発光素子３０Ｒ，３０Ｇ，３０Ｂ，３０Ｗの各下部構造３１からの白色光が第１〜第４のフィルタＣＦ１〜ＣＦ４を透過することにより、赤色光、緑色光、青色光および白色光がそれぞれ発せられる。第１〜第４のフィルタＣＦ１〜ＣＦ４は、第１〜第４の画素ＰＸ１〜ＰＸ４の各々に対応して配置されている。ここでは、第１の画素ＰＸ１は有機発光素子３０Ｂが構成し、第２の画素ＰＸ２は有機発光素子３０Ｗが構成し、第３の画素ＰＸ３は有機発光素子３０Ｇが構成し、第４の画素ＰＸ４は有機発光素子３０Ｒが構成している。
【００４１】
本実施の形態では、第１の方向（Ｘ軸方向）において隣り合う第１のフィルタＣＦ１および第２のフィルタＣＦ２は、第１の画素ＰＸ１および第２の画素ＰＸ２にそれぞれ対応して配置されている。同様に、Ｘ軸方向において隣り合う第３のフィルタＣＦ３および第４のフィルタＣＦ４は、第３の画素ＰＸ３および第４の画素ＰＸ４にそれぞれ対応して配置されている。また、第２の方向（Ｙ軸方向）において、第１のフィルタＣＦ１と第３のフィルタＣＦ３とが隣り合っており、第２のフィルタＣＦ２と第４のフィルタＣＦ４とが隣り合っている。
【００４２】
第１のフィルタＣＦ１の屈折率Ｎ１は、第２のフィルタＣＦ２の屈折率Ｎ２および第３のフィルタＣＦ３の屈折率Ｎ３の双方よりも低い（Ｎ１＜Ｎ２，Ｎ１＜Ｎ３）。また、第４のフィルタＣＦ４の屈折率Ｎ４は、第２のフィルタＣＦ２の屈折率Ｎ２および第３のフィルタＣＦ３の屈折率Ｎ３の双方よりも高い（Ｎ２＜Ｎ４，Ｎ３＜Ｎ４）。なお、ここでの各屈折率は、可視光（４００ｎｍ〜７００ｎｍ）に対する平均値をいう。例えば、屈折率Ｎ１は１．５０であり、屈折率Ｎ２は１．５５であり、屈折率Ｎ３は１．６５であり、屈折率Ｎ４は１．７５である。
【００４３】
また、Ｘ軸方向における第１のフィルタＣＦ１の寸法Ｘ１はＸ軸方向における第２のフィルタＣＦ２の寸法Ｘ２よりも大きく（Ｘ１＞Ｘ２）、第１のフィルタＣＦ１と第２のフィルタＣＦ２との境界Ｋ１２が第２の画素ＰＸ２が占める領域に位置している。同様に、Ｘ軸方向における第４のフィルタＣＦ４の寸法Ｘ４はＸ軸方向における第３のフィルタＣＦ３の寸法Ｘ３よりも小さく（Ｘ３＞Ｘ４）、第３のフィルタＣＦ３と第４のフィルタＣＦ４との境界Ｋ３４は第４の画素ＰＸ４が占める領域に位置している。
【００４４】
さらに、Ｙ軸方向における第１のフィルタＣＦ１の寸法Ｙ１はＹ軸方向における第３のフィルタＣＦ３の寸法Ｙ３よりも大きく（Ｙ１＞Ｙ３）、第１のフィルタＣＦ１と第３のフィルタＣＦ３との境界Ｋ１３は第３の画素ＰＸ３が占める領域に位置している。同様に、Ｙ軸方向における第４のフィルタＣＦ４の寸法Ｙ４はＹ軸方向における第２のフィルタＣＦ２の寸法Ｙ２よりも小さく（Ｙ２＞Ｙ４）、第２のフィルタＣＦ２と第４のフィルタＣＦ４との境界Ｋ２４は第４の画素ＰＸ４が占める領域に位置している。
【００４５】
第１〜第４のフィルタＣＦ１〜ＣＦ４は、例えば顔料または染料を混入した樹脂により構成されている。この顔料または染料の種類を適宜選択することにより、赤色フィルタ、緑色フィルタおよび青色フィルタでは、それぞれ、赤色、緑色または青色の波長域の光透過率が高くなるように調整されている。
【００４６】
[表示装置１の動作]
表示装置１では、各有機発光素子３０Ｒ，３０Ｇ，３０Ｂ，３０Ｗに、各色の映像信号に応じた駆動電流が印加されると、第１電極層１２および第２電極層１５を通じて、有機層１４に電子および正孔が注入される。これらの電子および正孔は、有機層１４に含まれる発光層においてそれぞれ再結合され、発光を生じる。この光は、第２電極層１５，保護膜１６、接着層１７、オーバーコート層１８、ＣＦ層１９および封止基板２１を順次透過して外部へ取り出される。このようにして、表示装置１では、例えばＲ，Ｇ，Ｂ，Ｗの各色光に基づくフルカラーの映像表示がなされる。また、この映像表示動作の際に容量素子Ｃｓの一端に、映像信号に対応する電位が印加されることにより、容量素子Ｃｓには、映像信号に対応する電荷が蓄積される。
【００４７】
なお、例えば第１のフィルタＣＦ１（相対的に低い屈折率を有するフィルタ）と第２のフィルタＣＦ２（相対的に高い屈折率を有するフィルタ）との関係は、下記の数１に示した条件式（１）を満たすことが望ましい（図５参照）。第２の画素ＰＸ２から第２のフィルタＣＦ２へ入射した光が全反射され、境界Ｋ１２から第１のフィルタＣＦ１へ進入するのを確実に防止できるからである。但し、ｎ1は第２の画素ＰＸ２からの光が第２のフィルタＣＦ２へ入射する直前に通過する媒質、すなわちオーバーコート層１８の屈折率であり、ｎHは第２のフィルタＣＦ２の屈折率であり、θ１は第２の画素ＰＸ２から第２のフィルタＣＦ２へ入射する光の最大入射角であり、ｎL（ｎL＜ｎH）は第１のフィルタＣＦ１の屈折率である。
【００４８】
【数１】
2015197475.tif 000005
【００４９】
なお、条件式（１）は以下のようにして求められる。まず、第２のフィルタＣＦ２へ入射した光の屈折角θH（図５参照）は、下記の数２に示した式（１．１）で表される。
【００５０】
【数２】
2015197475.tif 000006
【００５１】
また、第２のフィルタＣＦ２と第１のフィルタＣＦ１との間の臨界角θCは、下記の数３に示した式（１．２）で表される。
【００５２】
【数３】
2015197475.tif 000007
【００５３】
また、第２のフィルタＣＦ２を伝播する光が第１のフィルタＣＦ１との境界において全反射を生じるための条件は、下記の数４に示した式（１．３）により表される。
【００５４】
【数４】
2015197475.tif 000008
【００５５】
以上の式（１．１）から（１．３）により、上記の数１に示した条件式（１）が求められる。
【００５６】
また、図６Ａ，６Ｂに示したように、第２のフィルタＣＦ２の屈折率Ｎ２（ｎH）を小さくするには、第１のフィルタＣＦ１の屈折率Ｎ１（ｎL）をできるだけ高くし、最大入射角θ1をできるだけ小さくすることが望ましい。なお、図６Ａは、横軸が屈折率Ｎ１（ｎL）を表し、縦軸が屈折率Ｎ２（ｎＨ）を表し、各曲線が最大入射角θ１＝２０，２５，３０，３５°の各水準における、条件式（１）を満たす屈折率Ｎ２（ｎH）の最小値を表す特性図である。また、図６Ｂは、図６Ａの縦軸を、屈折率Ｎ２（ｎH）と屈折率Ｎ１（ｎL）との差分ｄｎ（ｎH−ｎL）に変更した特性図である。
【００５７】
[表示装置１の作用・効果]
この表示装置１では、ＣＦ層１９が、第１〜第４の画素ＰＸ１〜ＰＸ４に対応するように配置された、互いに異なる屈折率Ｎ１〜Ｎ４（但し、屈折率Ｎ２と屈折率Ｎ３とは一致していてもよい。）を有する第１〜第４のフィルタＣＦ１〜ＣＦ４を有するようにした。このため、比較的高い屈折率を有するフィルタ（例えばＣＦ２）を透過した光Ｌ２のうち、隣り合う比較的低い屈折率を有するフィルタ（例えばＣＦ１）へ進入してしまう光を低減することができる。特に、上記条件式（１）を満足する場合には、そのような漏れ光の発生を確実に防止できる。
【００５８】
また、隣り合う比較的低い屈折率のフィルタ（例えばＣＦ１）と比較的高い屈折率のフィルタ（例えばＣＦ２）との境界（Ｋ１２）を、比較的高い屈折率のフィルタ（ＣＦ２）と対応する画素（ＰＸ２）に相当する領域に位置するようにした。これにより、比較的低い屈折率を有するフィルタ（ＣＦ１）を透過した光Ｌ１のうち、隣り合う比較的高い屈折率を有するフィルタ（ＣＦ２）へ進入する光も低減することができる。例えば、隣り合う画素間の境界Ｋと一致するように第１のフィルタＣＦ１と第２のフィルタＣＦ２との境界Ｋ１２を設けた場合を考える（図１７）。この場合には、第１のフィルタＣＦ１における境界Ｋ１２近傍へ斜めに入射した光ＬＬ１が、漏れ光として、隣接する第２のフィルタＣＦ２へ入射してしまいやすくなる。これに対し、本実施の形態では、そのような漏れ光の発生を低減することができる。
【００５９】
このように、本実施の形態の表示装置１によれば、視野角特性を損なうことなく、混色や色滲みが低減された良好な表示性能を発揮することができる。
【００６０】
＜２．第２の実施の形態＞
［表示装置２の構成］
図７は、本開示における第２の実施の形態としての有機ＥＬ表示装置（表示装置２）の要部断面構成を表したものである。また、図８Ａは、表示装置２の要部平面構成を表したものであり、図８Ｂは図８Ａの一部をさらに拡大した平面図である。表示装置２は、遮光層２２をさらに有するようにしたことを除き、他は第１の実施の形態の表示装置１と同様の構成である。したがって、以下の説明では主に遮光層２２およびそれに関連する説明を行い、他の構成要素については表示装置１と同様の符号を付し、適宜説明を省略する。
【００６１】
図７に示したように、遮光層２２は、例えば素子パネル１０と封止パネル２０との間、具体的には例えばオーバーコート層１８の、ＣＦ層１９とは反対側の面に選択的に設けられている。より詳細には、遮光層２２は、第１のフィルタＣＦ１と第２のフィルタＣＦ２との境界Ｋ１２を跨ぐように配置されており、第１のフィルタＣＦ１の周縁部分を覆う第１の遮蔽部分２２Ａと第２のフィルタＣＦ２の周縁部分を覆う第２の遮蔽部分２２Ｂとを含む。ここで、Ｘ軸方向における第１の遮蔽部分２２Ａの寸法２２ＡＸは、Ｘ軸方向における第２の遮蔽部分２２Ｂの寸法２２ＢＸよりも大きい。また、第１および第２のフィルタＣＦ１，ＣＦ２の屈折率Ｎ１，Ｎ２は、ＣＦ層１９と遮光層２２との間のオーバーコート層１８の屈折率よりも高いことが望ましい。光がオーバーコート層１８からＣＦ層１９に入射する際、積層面に垂直な方向へ屈折することとなり、境界Ｋ１２を透過して隣の第１のフィルタＣＦ１または第２のフィルタＣＦ２へ漏れる光が低減されるからである。
【００６２】
同様に、遮光層２２は、第１のフィルタＣＦ１と第３のフィルタＣＦ３との境界Ｋ１３を跨ぐように配置されており、第１のフィルタＣＦ１の周縁部分を覆う第１の遮蔽部分２２Ａと隣接して第３のフィルタＣＦ３の周縁部分を覆う第３の遮蔽部分２２Ｃをさらに含む（図８Ｂ）。ここで、Ｙ軸方向における第１の遮蔽部分２２Ａの寸法２２ＡＹは、Ｙ軸方向における第３の遮蔽部分２２Ｃの寸法２２ＣＹよりも大きい。
【００６３】
さらに、遮光層２２は、第２のフィルタＣＦ２と第４のフィルタＣＦ４との境界Ｋ２４、および第３のフィルタＣＦ３と第４のフィルタＣＦ４との境界Ｋ３４をそれぞれ跨ぐように配置されている。すなわち、遮光層２２は、第２の遮蔽部分２２Ｂおよび第３の遮蔽部分２２Ｃとそれぞれ隣接し、第４のフィルタＣＦ４の周縁部分を覆う第４の遮蔽部分２２Ｄをさらに含む（図８Ｂ）。ここで、Ｙ軸方向における第２の遮蔽部分２２Ｂの寸法２２ＢＹは、Ｙ軸方向における第４の遮蔽部分２２Ｄの寸法２２ＤＹよりも大きい。また、Ｘ軸方向における第３の遮蔽部分２２Ｃの寸法２２ＣＸは、Ｘ軸方向における第４の遮蔽部分２２Ｄの寸法２２ＤＸよりも大きい。
【００６４】
遮光層２２は、さらに下記の数５に示した条件式（２）および数６に示した条件式（３）を満たすように構成されていることが望ましい（図９参照）。第１の画素ＰＸ１から第１のフィルタＣＦ１へ入射した一部の光が遮光層２２により遮られ、境界Ｋ１２から第２のフィルタＣＦ２へ進入するのを確実に防止できるからである。但し、Ｗ1は遮光層２２の幅であり、ＷLは第１のフィルタＣＦ１の幅（すなわちＸ軸方向の寸法Ｘ１）であり、ＷＨは第２のフィルタＣＦ２の幅（すなわちＸ軸方向の寸法Ｘ２）であり、ｔはＣＦ層１９の厚さであり、θLは第１の画素ＰＸ１から第１のフィルタＣＦ１に入射した光の屈折角である。
【００６５】
【数５】
2015197475.tif 000009
【００６６】
【数６】
2015197475.tif 000010
【００６７】
なお、条件式（２）は以下のようにして求められる。まず、屈折角θLは、下記の数７に示した式（２．１）で表せる（スネルの法則）。
【００６８】
【数７】
2015197475.tif 000011
【００６９】
また、遮光層２２に遮光されずに第１のフィルタＣＦ１に入射した光が第２のフィルタＣＦ２に入射しないための条件は、下記の数８に示した式（２．２）で表せる。
【００７０】
【数８】
2015197475.tif 000012
【００７１】
上記の式（２．２）より、第１のフィルタＣＦ１（相対的に低い屈折率のフィルタ）へ入射した一部の光が第２のフィルタＣＦ２（相対的に高い屈折率のフィルタ）へ進入するのを防ぐための条件式（２）が導かれる。
【００７２】
また、図１０Ａ，１０Ｂに示したように、Ｗ1＋ＷLをより小さくするには、ＣＦ層１９の厚さを薄くし、第１のフィルタＣＦ１の屈折率ｎLを高くし、屈折角θL（最大入射角θ1）を小さくすることが望ましい。なお、図１０Ａは、各曲線がＣＦ層１９の厚さｔ＝２.０，２．４，２．８，３．２，３．６，４．０μｍの各水準における、条件式（２）を満たすＷ1＋ＷLの最小値を表す特性図である。図１０Ａにおいて、横軸が屈折率Ｎ１（ｎL）を表し、縦軸が遮光層２２の幅Ｗ1と第１のフィルタＣＦ１の幅ＷLとの和Ｗ1＋ＷLを表す。また、図１０Ｂは、各曲線が最大入射角θ１＝２０，２５，３０，３５°の各水準における、条件式（２）を満たすＷ1＋ＷLの最小値を表す特性図である。図１０Ｂにおいて、横軸が屈折率Ｎ１（ｎL）を表し、縦軸が遮光層２２の幅Ｗ1と第１のフィルタＣＦ１の幅ＷLとの和Ｗ1＋ＷLを表す。
【００７３】
[表示装置２の作用・効果]
この表示装置２では、ＣＦ層１９における第１〜第４のフィルタＣＦ１〜ＣＦ４の境界Ｋ１２，Ｋ１３，Ｋ２４，Ｋ３４をそれぞれ跨ぐように遮光層２２を設けるようにした。このため、１のフィルタ（例えば第１のフィルタＣＦ１）を透過した光Ｌ１が、隣り合う他の１のフィルタ（例えば第２のフィルタＣＦ２）へ進入してしまうことを防止することができる。特に、上記条件式（２）および条件式（３）を満足する場合には、そのような漏れ光の発生を確実に防止できる。なお、この表示装置２においても、第１の実施の形態で説明した数１に示した条件式（１）を満たすことが望ましい。第２の画素ＰＸ２から第２のフィルタＣＦ２へ入射した光が全反射され、境界Ｋ１２から第１のフィルタＣＦ１へ進入するのを確実に防止できるからである。
【００７４】
また、遮光層２２において、例えば比較的高い屈折率の第２のフィルタＣＦ２の周縁部分を覆う第２の遮蔽部分２２Ｂの幅２２ＢＸを、隣接する低い屈折率の第１のフィルタＣＦ１の周縁部分を覆う第１の遮蔽部分２２Ａの幅２２ＡＸよりも狭くするようにした。これにより、漏れ光の発生を十分に低減しつつ、遮光される有効光を低減することができ、表示装置２の全体で得られる表示光の輝度を向上させることができる。
【００７５】
＜３．第３の実施の形態＞
図１１は本開示の第３の実施の形態に係る表示装置（表示装置３）の要部構成例を表す断面図である。
【００７６】
表示装置３は、有機層１４の発光層で発せられた光が第１電極層１２および素子基板１１を透過して外部へ放出される、いわゆるボトムエミッション方式の有機ＥＬ表示装置である。したがって、第１電極層１２は、例えばＩｎ−Ｓｎ−Ｏ，Ｉｎ−Ｚｎ−Ｏ，Ｉｎ−Ｏ，Ｚｎ−Ｏ，Ａｌ−Ｚｎ−Ｏなどの透明導電性材料からなる。素子基板１１も光透過性を有する石英やガラスのほか、透明樹脂などにより構成される。一方、第２電極層１５は、例えば、アルミニウムのほか、クロム，金，白金，ニッケル，銅，タングステンあるいは銀などの金属元素の単体または合金により形成され、反射層としての機能をも有する。表示装置３は、これらの点を除き、他は表示装置２と同様の構成である。この表示装置３においても、上記表示装置２と同様の効果が得られる。
【００７７】
＜４．適用例＞
以下、上記のような表示装置（表示装置１〜３）の電子機器への適用例について説明する。電子機器としては、例えばテレビジョン装置，デジタルカメラ，ノート型パーソナルコンピュータ、スマートフォン等の携帯端末装置あるいはビデオカメラ等が挙げられる。すなわち、上記表示装置は、外部から入力された映像信号あるいは内部で生成した映像信号を、画像あるいは映像として表示するあらゆる分野の電子機器に適用することが可能である。
【００７８】
［モジュール］
上記表示装置は、例えば図１２に示したようなモジュールとして、後述の適用例をはじめとする種々の電子機器に組み込まれる。このモジュールは、例えば、素子基板１１の一辺に、封止基板２１から露出した領域６１を設け、この露出した領域６１に、信号線駆動回路１２０、走査線駆動回路１３０および電源線供給回路１４０の配線を延長して外部接続端子（第１周辺電極および第２周辺電極等）を形成したものである。この外部接続端子には、信号の入出力のためのフレキシブルプリント配線基板（ＦＰＣ；Flexible Printed Circuit）６２が設けられていてもよい。
【００７９】
［適用例］
図１３は、上記実施の形態の表示装置が適用されるスマートフォンの外観を表したものである。このスマートフォンは、例えば、表示部２３０および非表示部２４０を有しており、この表示部２３０が上記実施の形態の表示装置により構成されている。
【００８０】
＜５．変形例＞
以上、いくつかの実施の形態を挙げて本技術を説明したが、本技術は上記実施の形態に限定されるものではなく、種々変形が可能である。例えば上記第２の実施の形態では、遮光層２２を、素子パネル１０と封止パネル２０との間に設けるようにしたが、本開示はこれに限定されるものではない。例えば図１４に示した表示装置１Ａのように、遮光層２２が、ＣＦ層１９の内部に設けられていてもよい（第１の変形例）。
【００８１】
また、上記実施の形態では、第１〜第４のフィルタＣＦ１〜ＣＦ４の境界Ｋ１２，Ｋ１３，Ｋ２４，Ｋ３４の全てが、画素間の境界Ｋに対して平行または垂直である場合について説明したが、本技術はこれに限定されるものではない。例えば図１５Ａおよび図１５Ｂに示した表示装置１Ｂ，１Ｃ（第２および第３の変形例）のように、一部の境界（例えば境界Ｋ１２）が画素間の境界Ｋに対して斜め方向であってもよい。すなわち、例えばＸ軸方向における第１のフィルタＣＦ１の寸法は、第１のフィルタＣＦ１の少なくとも一部において、Ｘ軸方向における第２のフィルタＣＦ２の寸法よりも大きく、境界Ｋ１２は、その少なくとも一部において、第２の画素ＰＸ２が占める領域に位置するようにすればよい。その場合であっても、例えば境界Ｋ１２が境界Ｋと完全に一致する場合よりも、漏れ光を低減する効果が得られる。あるいは、図１５Ｃに示した表示装置１Ｄのように、境界Ｋ１２，Ｋ１３，Ｋ２４，Ｋ３４の全てが画素間の境界Ｋに対して平行または垂直である場合に、フィルタ相互間における幅の大小関係や屈折率の大小関係を満たさない領域Ｒが一部にあってもよい。
【００８２】
また、上記実施の形態では、第１〜第４のフィルタＣＦ１〜ＣＦ４が有機発光素子１０Ｒ，１０Ｇ，１０Ｂ，１０Ｗの配列に対応してレクタングル配列された場合について説明したが、本技術はこれに限定されるものではない。例えば図１６Ａに示した表示装置１Ｅのように、第１〜第４のフィルタＣＦ１〜ＣＦ４が全体として平行四辺形をなすように構成されていてもよい（第５の変形例）。また、図１６Ｂに示した表示装置１Ｆのように、第１および第２のフィルタＣＦ１，ＣＦ２からなる平行四辺形と第３および第４のフィルタＣＦ３，ＣＦ４からなる平行四辺形とが結合し、全体として屈曲した形状をなすように構成されていてもよい（第６の変形例）。さらには、図１６Ｃに示した表示装置１Ｇのように、第１〜第４のフィルタＣＦ１〜ＣＦ４がストライプ配列されていてもよい（第７の変形例）。図１６Ｃの場合、第１および第３のフィルタＣＦ１，ＣＦ３の屈折率が、それぞれ第２および第４のフィルタＣＦ２，ＣＦ４の屈折率と異なっていればよい。
【００８３】
また、上記実施の形態等では、各有機発光素子の下部構造として白色光を発するものを例示して説明したが、本技術はこれに限定されるものではない。例えば、赤色有機発光素子、緑色有機発光素子、青色有機発光素子および白色有機発光素子が、それぞれ、赤色光、緑色光、青色光および白色光を発する下部構造を有するようにしてもよい。すなわち、赤色光、緑色光、青色光および白色光を発する発光層をそれぞれ含む複数の有機層を、画素ごとに塗り分けるようにしてもよい。その場合であっても、色純度を向上させるために各色のフィルタを用いるので、本技術が有効である。
【００８４】
さらに、上記実施の形態等では、アクティブマトリクス型の表示装置の場合について説明したが、本技術はパッシブマトリクス型の表示装置への適用も可能である。また、アクティブマトリクス駆動のための画素駆動回路の構成は、上記実施の形態で説明したものに限られず、必要に応じて容量素子やトランジスタを追加してもよい。その場合、画素駆動回路の変更に応じて、上述した信号線駆動回路１２０や走査線駆動回路１３０のほかに、他の駆動回路を追加してもよい。
【００８５】
なお、本明細書中に記載された効果はあくまで例示であってその記載に限定されるものではなく、他の効果があってもよい。また、本技術は以下のような構成を取り得るものである。
（１）
第１の方向において隣り合う第１の画素および第２の画素を含む表示部と、
前記第１の画素および前記第２の画素の各々に対応して配置され、前記第１の方向において隣り合う第１のフィルタおよび第２のフィルタを含むフィルタ層と
を有し、
前記第１のフィルタの屈折率は前記第２のフィルタの屈折率よりも低く、
前記第１の方向における前記第１のフィルタの寸法は、少なくとも一部において、前記第１の方向における前記第２のフィルタの寸法よりも大きく、
前記第１のフィルタと前記第２のフィルタとの境界は、少なくとも一部において、前記第２の画素が占める領域に位置する
表示装置。
（２）
前記第１のフィルタと前記第２のフィルタとの境界に配置され、前記第１のフィルタの周縁部分と対応する領域を占める第１の遮光部分と前記第２のフィルタの周縁部分と対応する領域を占める第２の遮光部分とを含む遮光層をさらに有し、
前記第１の方向における前記第１の遮光部分の寸法は、少なくとも一部において、前記第１の方向における前記第２の遮光部分の寸法よりも大きい
上記（１）記載の表示装置。
（３）
前記表示部は、第２の方向において前記第１の画素と隣り合う第３の画素をさらに含み、
前記フィルタ層は、前記第２の方向において前記第１のフィルタと隣り合うように前記第３の画素に対応して配置された第３のフィルタをさらに含み、
前記第１のフィルタの屈折率は前記第３のフィルタの屈折率よりも低く、
前記第２の方向における前記第１のフィルタの寸法は、少なくとも一部において、前記第２の方向における前記第３のフィルタの寸法よりも大きく、
前記第１のフィルタと前記第３のフィルタとの境界は、少なくとも一部において、前記第３の画素が占める領域に位置する
上記（１）記載の表示装置。
（４）
前記表示部は、第１の方向において前記第３の画素と隣り合うと共に第２の方向において前記第２の画素と隣り合う第４の画素をさらに含み、
前記フィルタ層は、前記第１の方向において前記第３のフィルタと隣り合うと共に前記第２の方向において前記第２のフィルタと隣り合うように、前記第４の画素に対応して配置された第４のフィルタをさらに含み、
前記第４のフィルタの屈折率は前記第２のフィルタの屈折率および前記第３のフィルタの屈折率の双方よりも高く、
前記第１の方向における前記第４のフィルタの寸法は、少なくとも一部において、前記第１の方向における前記第３のフィルタの寸法よりも小さく、
前記第３のフィルタと前記第４のフィルタとの境界は、少なくとも一部において、前記第４の画素が占める領域に位置し、
前記第２の方向における前記第４のフィルタの寸法は、少なくとも一部において、前記第２の方向における前記第２のフィルタの寸法よりも小さく、
前記第２のフィルタと前記第４のフィルタとの境界は、少なくとも一部において、前記第４の画素が占める領域に位置する
上記（３）記載の表示装置。
（５）
前記第１のフィルタと前記第３のフィルタとの境界に配置され、前記第１のフィルタの周縁部分と対応する領域を占める第１の遮光部分と前記第３のフィルタの周縁部分と対応する領域を占める第３の遮光部分とを含む遮光層をさらに有し、
前記第２の方向における前記第１の遮光部分の寸法は、少なくとも一部において、前記第２の方向における前記第３の遮光部分の寸法よりも大きい
上記（３）記載の表示装置。
（６）
前記第１のフィルタと前記第２のフィルタとの境界、前記第１のフィルタと前記第３のフィルタとの境界、前記第２のフィルタと前記第４のフィルタとの境界、および前記第３のフィルタと前記第４のフィルタとの境界にそれぞれ配置され、前記第１のフィルタの周縁部分と対応する領域を占める第１の遮光部分、前記第２のフィルタの周縁部分と対応する領域を占める第２の遮光部分、前記第３のフィルタの周縁部分と対応する領域を占める第３の遮光部分、および前記第４のフィルタの周縁部分と対応する領域を占める第４の遮光部分を含む遮光層をさらに有し、
前記第１の方向における前記第１の遮光部分の寸法は、少なくとも一部において、前記第１の方向における前記第２の遮光部分の寸法よりも大きく、
前記第１の方向における前記第３の遮光部分の寸法は、少なくとも一部において、前記第１の方向における前記第４の遮光部分の寸法よりも大きく、
前記第２の方向における前記第１の遮光部分の寸法は、少なくとも一部において、前記第２の方向における前記第３の遮光部分の寸法よりも大きく、
前記第２の方向における前記第２の遮光部分の寸法は、少なくとも一部において、前記第２の方向における前記第４の遮光部分の寸法よりも大きい
上記（４）記載の表示装置。
（７）
前記遮光層は、前記フィルタ層と前記表示部との間、または前記フィルタ層の内部に設けられている
上記（２），（５）または（６）のいずれか１つに記載の表示装置。
（８）
前記フィルタ層と前記遮光層との間に樹脂層をさらに有し、
前記フィルタ層の屈折率は、前記樹脂層の屈折率よりも高い
上記（２），（５）または（６）のいずれか１つに記載の表示装置。
（９）
下記の数９に示した条件式（１）を満たす
上記（１）から（８）のいずれか１つに記載の表示装置。
但し、ｎ１は第２の画素からの光が第２のフィルタへ入射する直前に通過する媒質の屈折率であり、ｎＨは第２のフィルタの屈折率であり、θ１は第２の画素から第２のフィルタへ入射する光の最大入射角であり、ｎＬは第１のフィルタの屈折率である。
【数９】
2015197475.tif 000013
（１０）
下記の数１０および数１１にそれぞれ示した条件式（２）および条件式（３）を満たす
上記（２），（５）〜（８）のいずれか１つに記載の表示装置。
但し、Ｗ１は遮光層の幅であり、ＷＬは第１のフィルタの幅であり、ＷＨは第２のフィルタの幅であり、ｔはフィルタ層の厚さであり、θＬは第１の画素から第１のフィルタに入射した光の屈折角である。
【数１０】
2015197475.tif 000014
【数１１】
2015197475.tif 000015
（１１）
表示装置を備えた電子機器であって、
前記表示装置は、
第１の方向において隣り合う第１の画素および第２の画素を含む表示部と、
前記第１の画素および前記第２の画素の各々に対応して配置され、前記第１の方向において隣り合う第１のフィルタおよび第２のフィルタを含むフィルタ層と
を有し、
前記第１のフィルタの屈折率は前記第２のフィルタの屈折率よりも低く、
前記第１の方向における前記第１のフィルタの寸法は、少なくとも一部において、前記第１の方向における前記第２のフィルタの寸法よりも大きく、
前記第１のフィルタと前記第２のフィルタとの境界は、少なくとも一部において、前記第２の画素が占める領域に位置する
電子機器。
（１２）
前記表示装置は、
前記第１のフィルタと前記第２のフィルタとの境界に配置され、前記第１のフィルタの周縁部分を覆う第１の遮蔽部分と前記第２のフィルタの周縁部分を覆う第２の遮蔽部分とを含む遮光層をさらに有し、
前記第１の方向における前記第１の遮蔽部分の寸法は、少なくとも一部において、前記第１の方向における前記第２の遮蔽部分の寸法よりも大きい
上記（１１）に記載の電子機器。
【符号の説明】
【００８６】
１，１Ａ〜１Ｇ，２，３…表示装置、１０…素子パネル、１１…素子基板、１２…第１電極層、１３…絶縁膜、１４…有機層、１５…第２電極層、１６…保護膜、１７…接着層、１８…オーバーコート層、１９…カラーフィルタ（ＣＦ）層、２０…封止パネル、２１…封止基板、２２…遮光層、３０Ｒ，３０Ｇ，３０Ｂ，３０Ｗ…有機発光素子、３１…下部構造、３２…上部構造、１１０…表示領域、１２０…信号線駆動回路、１３０…走査線駆動回路、１４０…電源供給線駆動回路、１５０…画素駆動回路。
【図１】
2015197475.tif 000019
【図２】
2015197475.tif 000020
【図３】
2015197475.tif 000021
【図４】
2015197475.tif 000022
【図５】
2015197475.tif 000023
【図６Ａ】
2015197475.tif 000024
【図６Ｂ】
2015197475.tif 000025
【図７】
2015197475.tif 000026
【図８Ａ】
2015197475.tif 000027
【図８Ｂ】
2015197475.tif 000028
【図９】
2015197475.tif 000029
【図１０Ａ】
2015197475.tif 000030
【図１０Ｂ】
2015197475.tif 000031
【図１１】
2015197475.tif 000032
【図１２】
2015197475.tif 000033
【図１３】
2015197475.tif 000034
【図１４】
2015197475.tif 000035
【図１５Ａ】
2015197475.tif 000036
【図１５Ｂ】
2015197475.tif 000037
【図１５Ｃ】
2015197475.tif 000038
【図１６Ａ】
2015197475.tif 000039
【図１６Ｂ】
2015197475.tif 000040
【図１６Ｃ】
2015197475.tif 000041
【図１７】
2015197475.tif 000042